(57)【要約】【課題】回動軸部が内部に組み入れられたドアであっても、美観を損なうことなしに、隙間密閉具を使用可能にすることによって遮音性および防煙性を高めるようにする。【解決手段】ドア（１０２）の下端（１０３）と床面（Ｆ）との間の隙間（Ｚ）を密閉するための隙間密閉装置（１０）において、ドアの下端付近においてドアの幅方向にわたって設けられたシール部（３３）を具備し、ドアは内部に回動軸部（４０）を有しており、さらに、ドアの幅方向に押込可能であってドアに設けられた被押込部材（５２）と、ドアが回動軸部回りに回動することに応じて被押込部材を押込む押込機構部（６０、５１）と、被押込部材が押込まれることによってシール部を床面まで下方に移動させるシール部移動機構部（３０）とを具備する隙間密閉装置（１０）が提供される。【選択図】      図２
2005030062.tif 000002
【特許請求の範囲】
【請求項１】
内部に回動軸部を有するドアの下端付近において前記ドアの幅方向にわたって設けられたシール部と、
前記ドアの幅方向に押込可能であって前記ドアに設けられた被押込部材と、
前記ドアが前記回動軸部回りに回動することに応じて前記被押込部材を押込む押込機構部と、
前記被押込部材が押込まれることによって前記シール部を前記床面まで下方に移動させるシール部移動機構部とを具備し、それにより、前記ドアの下端と床面との間の隙間を密閉するようにした隙間密閉装置。
【請求項２】
前記押込機構部は、前記ドアに回動不能に固定された突出部付きカムを含み、該カムの前記突出部は前記ドアの閉鎖位置における前記ドアの戸先側に向かって突出しており、前記ドアの閉鎖時に前記カムの突出部が前記被押込部材に係合することにより前記被押込部材が押込まれるようにした請求項１に記載の隙間密閉装置。
【請求項３】
前記押込機構部は、前記ドアに回動不能に固定された突出部付きカムを含み、該カムの前記突出部は前記ドアの閉鎖位置における前記ドアの戸先側に向かって突出しており、さらに、前記ドアに回動可能に設けられた回動レバーを含み、前記ドアの閉鎖時に前記回動レバーが前記カムの前記突出部に係合して回動されることにより前記被押込部材が押込まれるようにした請求項１に記載の隙間密閉装置。
【請求項４】
前記押込機構部は、前記ドアに回動不能に固定された凹部付きカムを含み、該カムの前記凹部は前記ドアの閉鎖位置における前記ドアの戸先側に向かって凹んでおり、さらに、前記ドアの戸先側に付勢されていて前記ドアの幅方向に摺動可能な摺動部材を含み、該摺動部材は前記ドアの戸先側に延びる突起を有しており、前記ドアの閉鎖時に前記摺動部材の前記突起が前記カムの前記凹部に係合することにより前記被押込部材が押込まれるようにした請求項１に記載の隙間密閉装置。
【発明の詳細な説明】
【０００１】
【発明の属する技術分野】
本発明は、出入口を閉鎖するドアの閉鎖時にドアの下端と床面との間の隙間を自動的に密閉するようにした隙間密閉装置に関する。
【０００２】
【従来の技術】
図８（ａ）は従来技術のドアの鉛直方向略断面図である。図８（ａ）においては上枠１０１と床面Ｆとの間で回動可能なドア１０２が示されている。ドア１０２には下端１０３と床面Ｆとの間の隙間から音または火災時等に生ずる煙を遮断するためのプレート状ゴム製シール１１０がドア１０２の幅方向にわたって設けられている。図示されるようにゴム製シール１１０の一端は留め具１１９により下端１０３に固定されており、シール１１０の他端は床面Ｆに接触するようになっている。しかしながら、このようなドア１０２の開閉時、特に施工後の検査のための開閉時には下端１０３が床面Ｆに埋め込まれた沓摺（くつずり）１０５または床面Ｆ自体と擦れて異音が発生する。また、沓摺１０５の寸法が大きい場合または床面Ｆに障害者用突起（図示しない）が埋め込まれている場合には、下端１０３が沓摺１０５または障害者用突起に接触することによりドア１０２の開閉自体が不可能となりうる。なお、図８（ａ）および後述する図８（ｂ）においてはドア１０２と上枠１０１との間には防煙および遮音のためのシール１１１が設けられている。
【０００３】
一方、図８（ｂ）は他の従来技術のドアの鉛直方向略断面図である。図８（ｂ）に示されるドア１０２の下端１０３には、前述したシール１１０の代わりに、主に遮音用のための隙間密閉具３００が設けられている。特許文献１より公知である隙間密閉具３００においては、ドアの下部に案内枠が固定されており、その案内枠に第１ガイド溝と第２ガイド溝とが上下に設けられており、第１ガイド溝内に組込まれた少なくとも一つの板バネの一端を固定し、その板バネの他端に連結された出没子３０１をドアの吊元側端面より外部に突出させ、上記板バネの長さ方向中央部を前記第２ガイド溝内に組込まれたシール枠３０３に連結させている。
【０００４】
図９（ａ）および図９（ｂ）は隙間密閉具３００が備えられたドア１０２を開閉する状態を示す水平方向略断面図である。これら図面に示されるようにドア１０２はスイングアーム２００によって回動軸部１０４に回動可能に連結されている。図９（ａ）から図９（ｂ）に示されるようにドア１０２を回動軸部１０４回りに回動させてドア１０２を閉鎖させると、ドア１０２の吊元側端部に設置されている出没子３０１が縦枠１０８の側面１０８ａに衝突して第１ガイド溝内に没入される。これにより板バネが下方に湾曲してシール枠３０３が下方に移動され、下端１０３と床面Ｆとの間の隙間を密閉するようになる。それゆえ、開閉途中には隙間密閉具３００は動作しておらず、閉鎖完了時に隙間密閉具３００が動作してシール枠３０３が下方に移動するので、ドア１０２の開閉途中において異音が発生したり、ドア１０２の開閉自体が不可能となることはない（例えば、特許文献１参照。）。
【特許文献１】
特開平１０−２３８２５１号公報（第２図）
【０００５】
【発明が解決しようとする課題】
ところで、前述したスイングアーム２００を備えたドア１０２はスイングアーム２００および回動軸部１０４の分だけスペースを余分に必要とする。従って、近年では省スペース化のため、およびスイングアーム２００等により美観が損なわれるのを避けるために、ドアの内部に回動軸部１０４を組み込む場合がある。このようなドアにおいては、自閉可能にするための鉛直方向バネを内部に備えた所謂オートドアヒンジが回動軸部として採用されることが多い。
【０００６】
しかしながら、このようなオートドアヒンジまたは自閉機能を備えていないピボトヒンジ等の短寸の回動軸部はドアの厚さ部分の比較的大部分を占めているので、回動軸部が内部に組み入れられていて前述した隙間密閉具３００をドアの下端付近に取付けた場合には、隙間密閉具３００の出没子３０１が回動軸部に干渉する。従って、出没子３０１は縦枠１０８の側面１０８ａに到達することはできず、出没子３０１は押圧されない。このため、隙間密閉具３００のシール枠３０３も下方に移動しない。このような理由により、現状においては回動軸部が内部に組み入れられたドアに対して隙間密閉具を使用することはできない状態となっている。また、出没子３０１をドア１０２の戸先側の縦枠（図示しない）に衝突させることも考えられるが、この場合には出没子３０１が外部に露出することになるので美観の点から好ましくない。
【０００７】
本発明はこのような事情に鑑みてなされたものであり、回動軸部が内部に組み入れられたドアであっても、美観を損なうことなしに、遮音性および防煙性を高めるようにした隙間密閉装置を提供することを目的とする。
【０００８】
【課題を解決するための手段】
前述した目的を達成するために１番目に記載の発明によれば、内部に回動軸部を有するドアの下端付近において前記ドアの幅方向にわたって設けられたシール部と、前記ドアの幅方向に押込可能であって前記ドアに設けられた被押込部材と、前記ドアが前記回動軸部回りに回動することに応じて前記被押込部材を押込む押込機構部と、前記被押込部材が押込まれることによって前記シール部を前記床面まで下方に移動させるシール部移動機構部とを具備し、それにより、前記ドアの下端と床面との間の隙間を密閉するようにした隙間密閉装置が提供される。
【０００９】
すなわち１番目の発明によって、ドアの回動作用に応じて被押込部材を押込む押込機構部を別途設けているので、ドア内部に回動軸部を有している場合であっても、回動軸部に干渉することなしに、ドアと床面との間の隙間を密閉することができ、これにより、防煙性および遮音性を高めることが可能となる。また、従来技術の出没子に相当しうる被押込部材はドアの外部からは見えないので、これら部材によって美観が損なわれるのを避けることができる。
【００１０】
２番目の発明によれば、１番目の発明において、前記押込機構部は、前記ドアに回動不能に固定された突出部付きカムを含み、該カムの前記突出部は前記ドアの閉鎖位置における前記ドアの戸先側に向かって突出しており、前記ドアの閉鎖時に前記カムの突出部が前記被押込部材に係合することにより前記被押込部材が押込まれるようにした。
【００１１】
３番目の発明によれば、１番目の発明において、前記押込機構部は、前記ドアに回動不能に固定された突出部付きカムを含み、該カムの前記突出部は前記ドアの閉鎖位置における前記ドアの戸先側に向かって突出しており、さらに、前記ドアに回動可能に設けられた回動レバーを含み、前記ドアの閉鎖時に前記回動レバーが前記カムの前記突出部に係合して回動されることにより前記被押込部材が押込まれるようにした。
【００１２】
４番目の発明によれば、１番目の発明において、前記押込機構部は、前記ドアに回動不能に固定された凹部付きカムを含み、該カムの前記凹部は前記ドアの閉鎖位置における前記ドアの戸先側に向かって凹んでおり、さらに、前記ドアの戸先側に付勢されていて前記ドアの幅方向に摺動可能な摺動部材を含み、該摺動部材は前記ドアの戸先側に延びる突起を有しており、前記ドアの閉鎖時に前記摺動部材の前記突起が前記カムの前記凹部に係合することにより前記被押込部材が押込まれるようにした。
すなわち２番目から４番目の発明によっても、１番目の発明と同様の作用および効果を得ることができる。
【００１３】
【発明の実施の形態】
以下、添付図面を参照して本発明の実施形態を説明する。以下の図面において同一の部材には同一の参照符号が付けられている。理解を容易にするために、これら図面は縮尺を適宜変更している。
図１は本発明の第一の実施形態に基づく隙間密閉装置１０のドア閉鎖時における長手方向断面図である。図２は図１の線Ａ−Ａに沿ってみた水平方向断面図である。さらに、図３は図２の線Ｂ−Ｂに沿ってみた鉛直方向断面図である。これら図面に示されるドア１０２、例えば防煙用または防音用のドアは鉛直方向の回動軸線Ｘ回りに回動可能になっている。図１および図３に示されるように、ドア１０２内には回動軸部４０、例えば自閉機能を備えたオートドアヒンジが設けられている。オートドアヒンジ本体４１は略円筒状部材であって回動軸線Ｘと同軸に配置されている。特に図３から分かるようにオートドアヒンジ本体４１または自閉機能を備えていない短寸の回動軸部（図示しない）の直径はドア１０２の一側１０２ａと他側１０２ｂとの間、すなわちドア１０２の厚さ部分の半分程度またはそれ以上でありうる。この回動軸部４０は縦枠１０８（図２を参照されたい）に近いドア１０２の吊元側に設けられている。
【００１４】
図１に示されるようにオートドアヒンジ本体４１に対して垂直に延びるアーム４２がオートドアヒンジ本体４１の下端付近に一体的に取り付けられている。また、特に図３から分かるようにドア１０２は両側部１０２ａ、１０２ｂの間に断面Ｕ字形状部材１０２ｃを有している。図示されるように断面Ｕ字形状部材１０２ｃは基部が上方を向くように取り付けられている。前述したアーム４２はネジ４９をアーム４２の孔に通して断面Ｕ字形状部材１０２ｃにネジ留めすることによってドア１０２に固定されている。突出部６１を備えた固定カム６０が回動軸線Ｘ上においてオートドアヒンジ本体４１の下方に設けられている。後述するドア１０２の開閉時にはドア１０２およびアーム４２が回動軸線Ｘ回りに回動するが、固定カム６０自体は回動することはない。図示されるように固定カム６０の突出部６１は回動軸線Ｘに対して垂直に吊元側とは反対方向に突出している。つまり、この固定カム６０の突出部６１は後述するドア１０２の閉鎖位置におけるドア１０２の戸先側に向かう方向に突出している。
【００１５】
さらに、回動軸部４０の最下端は、床面Ｆ内に予め埋め込まれた軸座４４内に回動可能に挿入されている。また、回動軸線Ｘ上におけるドア１０２の上端（図示しない）と上枠（図示しない）との間には図示しないトップピボットが設けられており、これによりドア１０２は上枠と床面Ｆとの間で回動軸線Ｘ回りに回動することができる。また、ドア１０２の開閉の途中においてドア１０２が床面上の障害者用突起物（図示しない）または沓摺（図８を参照されたい）もしくは床面Ｆ自体と接触するのを妨げるために、通常（ドア１０２の開放時など）はドア１０２の下端１０３と床面Ｆとの間には隙間Ｚが設けられている。
【００１６】
この回動軸部４０のオートドアヒンジ本体４１は内部に図示しないスプリングを含んでいる。オートドアヒンジ本体４１の側面に設けられたスプリング調整窓４３内のツマミ４３ａをドア１０２の一側１０２ｂ内の窓部１０６を通じて調整することによって、開閉時におけるドア１０２の開閉強度を調節することができる。図３に示されるようにオートドアヒンジ本体４１の頂部には閉扉速度調整ギア４７が設けられている。閉扉速度調整ギア４７はオートドアヒンジ本体４１内の図示しない油圧機構に連結されているので、ドア１０２の一側１０２ｂに設けられた別の窓部１０７を通じて閉扉速度調整ギア４７を調節することにより、ドア１０２の開閉速度を調整することができる。
【００１７】
図１に示されるように本発明の第一の実施形態に基づく隙間密閉装置１０は隙間密閉部３０を備えている。図１から分かるようにこの隙間密閉部３０のケーシング３９はネジ４５、４６によってオートドアヒンジ本体４１のアーム４２にネジ留めされている。ケーシング３９はドア１０２の幅方向に延びる仕切部３８によって第一室３１と第二室３２とに仕切られている。また、図４は隙間密閉装置のドア閉鎖時における長手方向部分拡大断面図である。図４に示されるように固定部材７１が第一室３１内においてドア１０２の戸先側に固定されている。図示されるように第一の摺動部材３７および第二の摺動部材７３が第一室３１内にドア１０２の幅方向に摺動可能に配置されている。さらに、第一の板バネ３５ａの両端部が第一の摺動部材３７と第二の摺動部材７３とにそれぞれ連結されており、第二の板バネ３５ｂの両端部が第二の摺動部材７３と固定部材７１とにそれぞれ連結されている。
【００１８】
再び図１を参照すると、第一の摺動部材３７においてはドア１０２の吊元側端部に向かって延びるネジ軸５３が配置されている。さらにこのネジ軸５３は被押込部材５２内に形成されたネジ山５４に係合している。被押込部材５２はケーシング３９の穴３９ａ内に摺動可能に挿入されている。ケーシング３９の穴３９ａから突出する被押込部材５２の長さは被押込部材５２自体を回転させることにより調節可能になっている。また、図１および図２に示されるように鉛直方向の回動軸線Ｙ回りに回動可能な回動レバー５１が被押込部材５２の吊元側においてケーシング３９内に配置されている。図２から分かるように、回動レバー５１の基端５５は回動軸線Ｙと同軸になっている。回動レバー５１は後述するように固定カム６０によって回動され、これにより被押込部材５２を第一室３１内に押込む役目を果たす。
【００１９】
一方、第二室３２内においてはドア１０２のほぼ幅方向にわたって延びているシール部３３が昇降可能に配置されている。シール部３３の上方には溝３４ａが形成されており、前述した板バネ３５ａ、３５ｂの中央部分が溝３４ａ内に挿入されている。これら板バネ３５ａ、３５ｂは溝３４ａの両壁部から延びるピン３６ａ、３６ｂによって溝３４ａにそれぞれ保持されている。また、図示しないものの、シール部３３の長手方向にわたって延びるサイドリップによって、シール部３３とケーシング３９との間の隙間が封止されている。
【００２０】
図５（ａ）は本発明に基づく隙間密閉装置のドア開放時における水平方向断面図である。図５（ａ）に示されるようにドア１０２の開放時においては板バネ３５ａ、３５ｂによって被押込部材５２は穴３９ａから比較的長距離まで延びている。すなわち、ドア１０２の開放時においては被押込部材５２は押込まれていない。被押込部材５２が押込まれていないために、ドア１０２の開放時においては隙間密閉部３０は動作しておらず、ドア１０２の下端１０３と床面Ｆとの間には隙間Ｚが生じている。また、固定カム６０は前述したように回動不能に固定されており、ドア１０２の開放時においては回動レバー５１は固定カム６０に接触していないか、または固定カム６０の側部（突起部６１ではない場所）にわずかに接触している程度である。
【００２１】
図５（ｂ）は本発明に基づく隙間密閉装置の閉鎖途中における水平方向断面図である。図５（ａ）におけるドア開放状態からドア閉鎖状態までドア１０２を回動軸線Ｘ回りに徐々に回動させると、回動レバー５１の側部が固定カム６０の周面に沿うように回動軸線Ｘ回りに徐々に回動する。ドア１０２を或る角度まで回動させると、図５（ｂ）に示されるように回動レバー５１の側部が固定カム６０の突出部６１に接触するようになる。これにより、回動レバー５１は突出部６１により押圧されて基端５５回りに回動するようになる。このため、回動レバー５１の固定カム６０とは反対側の側面において回動レバー５１は被押込部材５２に押し当たるようになる。それゆえ、被押込部材５２はケーシング３９の第一室３１内に押込まれるようになる。
【００２２】
前述したように被押込部材５２は第一の摺動部材３７のネジ軸５３に取り付けられている。従って、被押込部材５２が押込まれることによって第一の摺動部材３７が戸先側に向かって第一室３１内を摺動すると共に第二の摺動部材７３も板バネ３５ａに押されることにより戸先側に向かって摺動するようになる。これら第一および第二の摺動部材３７、７３が摺動することにより、第一および第二の板バネ３５ａ、３５ｂが下方に湾曲し、次いでこの湾曲作用によってシール部３３が下方に押し下げられる。ドア１０２を所定の角度、例えば閉鎖位置に相当する９０°まで回動させる（図２を参照されたい）と、シール部３３は床面Ｆに到達する程度まで下方に押し下げられる。従って、ドア１０２の下端１０３と床面Ｆとの間にある隙間Ｚがこのシール部３３の縁部３４ｂによって密閉されるようになる（図１を参照されたい）。
【００２３】
前述したようにドア１０２の回動半径内に障害物、例えば身障者用突起物が埋め込まれている場合には、異音が生じたり、ドア１０２の開閉自体が困難になりうる。しかしながら、本発明の隙間密閉装置１０においては、ドア１０２が所定の位置まで回動したときにシール部３３が降下するように調整することができる。従って、障害者用突起物などの障害物が存在する場合であっても、ドア１０２の閉鎖終了時にシール部３３を降下させるようにすることによって、障害物等に接触することなしに、ドア１０２の開閉を円滑に行うことができる。特に本発明においては、閉鎖位置におけるドアの戸先側に向けられた突出部６１を備えた固定カム６０および回動レバー５１を採用し、これらによって被押込部材５２を押込むようにしているので、ドア１０２の厚さの大部分を占める回動軸部４０を含むドアであっても、隙間密閉部３０を採用することが可能となる。これにより、ドア１０２の閉鎖時における防煙性および遮音性を高めることができる。また、固定カム６０はオートドアヒンジ本体４１の下端に取り付けられているので、固定カム６０および被押込部材５２は外部からは見えず、これにより美観が損なわれるのを避けることもできる。
【００２４】
また、本実施形態において固定カム６０と被押込部材５２との間に回動レバー５１を配置しているが、この回動レバー５１は必ずしも必要ではない。例えば被押込部材５２の吊元側端部が、ケーシング３９のドア１０２の厚さ方向距離に概ね等しい程度にまで大きい場合には、ドア１０２の閉鎖時に固定カム６０の突出部６１によって、この大型の被押込部材５２が直接的に押込まれるようになる。すなわちこの場合には、回動レバー５１を用いることなしに、前述した効果を得ることが可能となる。
【００２５】
図２ならびに図５（ａ）および図５（ｂ）に示される実施形態においてはドア１０２の開放位置と閉鎖位置との間の角度が９０°である場合について説明しているが、ドア１０２の回動角度は９０°でなくてもよい。図６（ａ）および図６（ｂ）はドア１０２の回動角度が１８０°である場合の隙間密閉装置１０のドア開放時およびドア閉鎖時における水平方向断面図である。図６（ａ）においては固定カム６０の突出部６１は固定カム６０の回動レバー５１側とは反対方向に延びている。つまり、突出部６１の突出方向は後述する図６（ｂ）のようなドア１０２の閉鎖位置においてドア１０２の戸先側に向かう方向である。
【００２６】
図６（ａ）に示されるようにドア１０２の開放時においては回動レバー５１は固定カム６０に接触していないか、または固定カム６０の側部（突出部６１ではない場所）にわずかに接触している程度である。ドア１０２が閉鎖されると、回動レバー５１は回動レバー５１の側部が固定カム６０の周面に沿うように回動軸線Ｘ回りに徐々に回動する。次いでドア１０２がさらに回動されると、回動レバー５１の側面が固定カム６０の突出部６１に接触するようになり、被押込部材５２も押込まれるようになる。さらにドア１０２が所定の回動角度、この場合は１８０°まで回動されると、被押込部材５２が所定の距離だけ押込まれることによりシール部３３（図６（ａ）および図６（ｂ）には示さない）が下方に移動し、隙間Ｚが密閉されるようになる。回動角度が１８０°の場合には固定カム６０の突出部６１の突出方向は回動角度が９０°の場合とは異なるものの、固定カム６０の突出部６１がドア１０２の閉鎖位置におけるドア１０２の戸先側に突出するという点では共通している。固定カム６０の突出部６１をこのように配置することによって、ドア１０２が閉鎖したときにシール部３３を下方に移動させることができる。また、図６（ａ）および図６（ｂ）においては回動角度が１８０°の場合を示しているが、当然のことながら、ドア１０２に関する他の回動角度を採用することもできる。
【００２７】
図７（ａ）は本発明の他の実施形態に基づく隙間密閉装置のドア閉鎖途中における水平方向断面図であり、図７（ｂ）は本発明の他の実施形態に基づく隙間密閉装置のドア閉鎖時における水平方向断面図である。これら図面に示される他の実施形態においては、突出部６１を備えたカム６０および回動レバー５１を排除すると共に、これらの代わりに、凹部８１を備えた他のカム８０および突起部８６を備えたスライダ８５が追加されている。カム８０は第一の実施形態におけるカム６０と同様にオートドアヒンジ本体４１の下方においてドア１０２内に回動不能に固定されている。そして、カム８０に備えられた凹部８１はドア１０２の閉鎖位置におけるドア１０２の戸先側に向かって凹んでいる。一方、スライダ８５は、オートドアヒンジ本体４１の下端または底枠１０２ｃおいてドア１０２の幅方向に摺動可能に設けられている。また、このスライダ８５は常には付勢部材（図示しない）によってドア１０２の戸先方向に付勢されている。またスライダ８５には孔８９が形成されており、突起部８６がスライダ８５の一端８７から孔８９内部に向かってドア１０２の戸先方向に延びている。この突起部８６はカム８０の側部に係合している。さらに図示されるようにスライダ８５の他端８８は前述した実施形態と同様の被押込部材５２に係合可能になっている。
【００２８】
図７（ａ）に示されるようにドア１０２の開放時からドア１０２が徐々に閉鎖されると、スライダ８５の突起部８６はカム８０の周面に沿って回動軸線Ｘ回りに回動する。スライダ８５はドア１０２の戸先側に向かって付勢されているので、ドア１０２が所定の角度、例えば９０°まで回動すると、この突起部８６はカム８０の凹部８１に係合するようになる（図２（ｂ）を参照されたい）。これにより被押込部材５２が押込まれるようになって、前述した場合と同様にシール部３３が下降して隙間Ｚが密閉されるようになる。これにより、前述した第一の実施形態の場合と同様の効果を得ることができる。
【００２９】
図１、図３および図４においては内部にスプリングを備えた長寸の回動軸部が示されているが、本発明の隙間密閉装置をこのようなスプリングを有していない短寸の回動軸部にも適用できるのは明らかである。また、前述した実施形態における隙間密閉部３０は板バネ３５ａ、３５ｂを採用することによりシール部３３を降下させているが、本発明はこのような隙間密閉部３０に限定されるものではなく、被押込部材５２が押込まれることによってシール部３３を降下させることのできるあらゆる形態の隙間密閉部３０を採用できる。同様に、カム６０もしくはカム８０およびスライダ８５の代わりに、ドアの回動作用に応じて被押込部材５２を押込むことのできる他の機構を採用することも可能である。例えばオートドアヒンジ本体４１または回動軸部自体の一部分がカム６０、８０を形成するようにしてもよい。また、カム６０、８０は回動軸線Ｘ上に設けられているが、ドア１０２内の他の場所であってもよいのは明らかである。さらに、図示される実施形態においては一方開きのドアが示されているが、本発明の隙間密閉装置１０を両開きドアに採用するようにしてもよい。また、ドア１０２の吊元側端部付近にゴムシールを適切に配置することは本発明の範囲に含まれる。
【００３０】
【発明の効果】
各発明によれば、回動軸部が内部に組み入れられたドアであっても、美観を損なうことなしに、隙間密閉具を使用可能にすることによって遮音性および防煙性を高めることができるという共通の効果を奏しうる。
【図面の簡単な説明】
【図１】本発明の第一の実施形態に基づく隙間密閉装置のドア閉鎖時における長手方向断面図である。
【図２】図１の線Ａ−Ａに沿ってみた水平方向断面図であり、ドア閉鎖時における隙間密閉装置を示している。
【図３】図２の線Ｂ−Ｂに沿ってみた鉛直方向断面図である。
【図４】隙間密閉装置のドア閉鎖時における長手方向部分拡大断面図である。
【図５】（ａ）本発明に基づく隙間密閉装置のドア開放時における水平方向断面図である。
（ｂ）本発明に基づく隙間密閉装置のドア閉鎖途中における水平方向断面図である。
【図６】（ａ）隙間密閉装置のドア開放時における水平方向断面図である。
（ｂ）隙間密閉装置のドア閉鎖時における水平方向断面図である。
【図７】（ａ）本発明の他の実施形態に基づく隙間密閉装置のドア閉鎖途中における水平方向断面図である。
（ｂ）本発明の他の実施形態に基づく隙間密閉装置のドア閉鎖時における水平方向断面図である。
【図８】（ａ）従来技術のドアの鉛直方向略断面図である。
（ｂ）従来技術の他のドアの鉛直方向略断面図である。
【図９】（ａ）隙間密閉具が備えられたドアの閉鎖途中時の状態を示す水平方向略断面図である。
（ｂ）隙間密閉具が備えられたドアを閉鎖した状態を示す水平方向略断面図である。
【符号の説明】
１０…隙間密閉装置
３０…隙間密閉部
３１…第一室
３２…第二室
３３…シール部
３５ａ、３５ｂ…板バネ
３９…ケーシング
４０…回動軸部
４１…オートドアヒンジ本体
５１…回動レバー
５２…被押込部材
６０…固定カム
６１…突出部
８０…カム
８１…凹部
８５…スライダ
８６…突起部
Ｆ…床面
Ｚ…隙間
【図１】
2005030062.tif 000003
【図２】
2005030062.tif 000004
【図３】
2005030062.tif 000005
【図４】
2005030062.tif 000006
【図５】
2005030062.tif 000007
【図６】
2005030062.tif 000008
【図７】
2005030062.tif 000009
【図８】
2005030062.tif 000010
【図９】
2005030062.tif 000011